(57)【特許請求の範囲】
【請求項１】
互いに交差しない複数の長尺なＸマトリクス電極、および、前記Ｘマトリクス電極と離間して対面して設けられる、前記Ｘマトリクス電極と交差し、かつ、互いに交差しない複数の長尺なＹマトリクス電極と、
少なくとも前記Ｘマトリクス電極とＹマトリクス電極との交点において、前記Ｘマトリクス電極とＹマトリクス電極とに接続して設けられる、通電によって発熱する発熱体と、
前記Ｙマトリクス電極に対して前記発熱体と逆側に設けられる第１基板、および、前記Ｘマトリクス電極に対して前記発熱体と逆側に設けられる第２基板と、
前記Ｘマトリクス電極およびＹマトリクス電極の駆動を制御する制御手段と、
人体に装着するための装着手段とを有し、
前記制御手段は、伝達する情報に応じて前記Ｘマトリクス電極およびＹマトリクス電極を駆動することにより、前記Ｘマトリクス電極とＹマトリクス電極との交点において前記発熱体を発熱させるものであり、かつ、１文字、１つの記号および１つの画像から選択される１つを、１つの情報として、１つの情報の伝達において、前記発熱体の発熱を時系列で行うように、前記Ｘマトリクス電極およびＹマトリクス電極の駆動を制御することを特徴とする情報伝達装置。
【請求項２】
前記制御手段が、ワイヤレスで前記Ｘマトリクス電極およびＹマトリクス電極の駆動を制御する請求項１に記載の情報伝達装置。
【請求項３】
前記第１基板および第２基板の少なくとも一方が、面方向に前記Ｘマトリクス電極およびＹマトリクス電極が存在しない位置に、貫通孔を有する請求項１または２に記載の情報伝達装置。
【請求項４】
前記第１基板と第２基板とで厚さが異なり、前記装着手段は、前記第１基板および第２基板の薄い方が人体側となるように、装置を人体に装着する請求項１〜３のいずれか１項に記載の情報伝達装置。
【請求項５】
前記制御手段は、必要に応じて、隣接する複数の前記Ｘマトリクス電極とＹマトリクス電極との交点で、同時に前記発熱体を発熱させる請求項１〜４のいずれか１項に記載の情報伝達装置。
【請求項６】
前記制御手段は、１つの情報を伝達した後、０．１秒以上経過してから、次の情報の伝達を開始するように、前記Ｘマトリクス電極およびＹマトリクス電極の駆動を制御する請求項１〜５のいずれか１項に記載の情報伝達装置。
【請求項７】
前記制御手段は、１つの情報を１〜１０秒で伝達するように、前記Ｘマトリクス電極およびＹマトリクス電極の駆動を制御する請求項１〜６のいずれか１項に記載の情報伝達装置。
【請求項８】
前記第１基板および第２基板の水蒸気透過率が０．１g/(m2・day)以上である請求項１〜７のいずれか１項に記載の情報伝達装置。
【請求項９】
前記第１基板および第２基板の熱伝導率が０．０１Ｗ／(ｍ・Ｋ)以上である請求項１〜８のいずれか１項に記載の情報伝達装置。
【請求項１０】
互いに交差しない複数の長尺なＸマトリクス電極、および、前記Ｘマトリクス電極と離間して対面して設けられる、前記Ｘマトリクス電極と交差し、かつ、互いに交差しない複数の長尺なＹマトリクス電極と、少なくとも前記Ｘマトリクス電極およびＹマトリクス電極の交点において、前記Ｘマトリクス電極およびＹマトリクス電極に接続して設けられる、通電によって発熱する発熱体と、前記Ｘマトリクス電極に対して前記発熱体と逆側に設けられる第１基板、および、前記Ｙマトリクス電極に対して前記発熱体と逆側に設けられる第２基板と、を有する装置を、人体に装着し、
伝達する情報に応じて前記Ｘマトリクス電極およびＹマトリクス電極を駆動することにより、前記Ｘマトリクス電極とＹマトリクス電極との交点において前記発熱体を発熱させると共に、１文字、１つの記号および１つの画像から選択される１つを、１つの情報として、１つの情報の伝達において、前記発熱体の発熱を時系列で行うことを特徴とする情報伝達方法。
【請求項１１】
前記第１基板および第２基板の少なくとも一方が、面方向に前記Ｘマトリクス電極およびＹマトリクス電極が存在しない位置に、貫通孔を有する請求項１０に記載の情報伝達方法。
【請求項１２】
前記第１基板と第２基板とで厚さが異なり、前記人体への装着を、前記第１基板および第２基板の薄い方を人体側にして行う請求項１０または１１に記載の情報伝達方法。
【請求項１３】
必要に応じて、隣接する複数の前記Ｘマトリクス電極とＹマトリクス電極との交点で、同時に前記発熱体を発熱させる請求項１０〜１２のいずれか１項に記載の情報伝達方法。
【請求項１４】
１つの情報を伝達した後、０．１秒以上経過してから、次の情報の伝達を開始する請求項１０〜１３のいずれか１項に記載の情報伝達方法。
【請求項１５】
１つの情報を１〜１０秒で伝達するように、前記Ｘマトリクス電極およびＹマトリクス電極を駆動する請求項１０〜１４のいずれか１項に記載の情報伝達方法。
【請求項１６】
前記第１基板および第２基板の水蒸気透過率が０．１g/(m2・day)以上である請求項１０〜１５のいずれか１項に記載の情報伝達方法。
【請求項１７】
前記第１基板および第２基板の熱伝導率が０．０１Ｗ／(ｍ・Ｋ)以上である請求項１０〜１６のいずれか１項に記載の情報伝達方法。
【発明の詳細な説明】
【技術分野】
【０００１】
本発明は、触覚によって文字等の情報を伝達する情報伝達装置および情報伝達方法に関する。
【背景技術】
【０００２】
人の感覚としては、視覚、聴覚、味覚、触覚、嗅覚の５つが知られている。
大量の情報が溢れている社会において、情報の伝達は、主に、視覚と聴覚とによって行われている。
これに対し、視覚や聴覚による情報の伝達が困難な場合等に対応して、触覚を利用する情報の伝達方法が、各種、提案されている。
【０００３】
例えば、特許文献１には、ウェアラブル装置に装着されるシステムとして、二次元的に配列された昇降可能なブロックと、このブロックを覆う可撓性表面層を有し、検出されたイベントに応じて、ブロックによって、可撓性表面層の表面全体または離散した位置を変化または振動させることにより、進むべき方向など、ウェアラブル装置を装着した人物に、警告、通知、方角などに関する情報を提供するシステムが記載されている。
【０００４】
特許文献２には、触覚によって画像情報を表示する表示装置として、二次元的に配列される接触手段と、接触手段を振動させる振動手段、接触手段の温度を変化させる温冷手段、あるいはさらに接触手段を上下動させる駆動手段とを有し、表示する画像に対応する部分の接触手段を振動および温度調節し、あるいはさらに上下動することで、凹凸や振動、温冷の組み合わせにより、映像や文字を表現する表示装置が記載されている。
【０００５】
さらに、特許文献３には、触覚刺激によって生体に方向を示す情報を提示する情報提示装置として、方向を示す際の始点側と終点側とを示す振動子等の触覚刺激手段を用い、始点側を終点側より強調することにより、使用者に方向を示す情報を提供する情報提示装置が記載されている。また、特許文献３には、この装置において、複数の触覚刺激手段を配列して、始点を強調した振動を、始点側から終点側に移動することを繰り返すことも記載されている。
【先行技術文献】
【特許文献】
【０００６】
【特許文献１】特開２０１５−２８７９９号公報
【特許文献２】特開２００３−９１２３３号公報
【特許文献３】特開２０１１−４８５６６号公報
【発明の概要】
【発明が解決しようとする課題】
【０００７】
これらの装置によれば、触覚によって、方向や警告等の情報を使用者に伝達することができる。
しかしながら、近年では、触覚による情報伝達に対する要求は、ますます、厳しくなっており、より簡易な構成で、使用者が、触覚によって文字等の情報をより正確に認識できる情報伝達装置や方法の出現が望まれている。
【０００８】
本発明の目的は、このような従来技術の問題点を解決することにあり、伝達された文字等の情報を、触覚によって使用者が正確に認識できる情報伝達装置および情報伝達方法を提供することにある。
【課題を解決するための手段】
【０００９】
このような目的を達成するために、本発明の情報伝達装置は、互いに交差しない複数の長尺なＸマトリクス電極、および、Ｘマトリクス電極と離間して対面して設けられる、Ｘマトリクス電極と交差し、かつ、互いに交差しない複数の長尺なＹマトリクス電極と、
少なくともＸマトリクス電極とＹマトリクス電極との交点において、Ｘマトリクス電極とＹマトリクス電極とに接続して設けられる、通電によって発熱する発熱体と、
Ｙマトリクス電極に対して発熱体と逆側に設けられる第１基板、および、Ｘマトリクス電極に対して発熱体と逆側に設けられる第２基板と、
Ｘマトリクス電極およびＹマトリクス電極の駆動を制御する制御手段と、
人体に装着するための装着手段とを有し、
制御手段は、伝達する情報に応じてＸマトリクス電極およびＹマトリクス電極を駆動することにより、Ｘマトリクス電極とＹマトリクス電極との交点において発熱体を発熱させるものであり、かつ、１つの情報の伝達において、発熱体の発熱を時系列で行うように、Ｘマトリクス電極およびＹマトリクス電極の駆動を制御することを特徴とする情報伝達装置を提供する。
【００１０】
このような本発明の情報伝達装置において、制御手段が、ワイヤレスでＸマトリクス電極およびＹマトリクス電極の駆動を制御するのが好ましい。
また、第１基板および第２基板の少なくとも一方が、面方向にＸマトリクス電極およびＹマトリクス電極が存在しない位置に、貫通孔を有するのが好ましい。
また、第１基板と第２基板とで厚さが異なり、装着手段は、第１基板および第２基板の薄い方が人体側となるように、装置を人体に装着するのが好ましい。
また、制御手段は、必要に応じて、隣接する複数のＸマトリクス電極とＹマトリクス電極との交点で、同時に発熱体を発熱させるのが好ましい。
また、制御手段は、１つの情報を伝達した後、０．１秒以上経過してから、次の情報の伝達を開始するように、Ｘマトリクス電極およびＹマトリクス電極の駆動を制御するのが好ましい。
また、制御手段は、１つの情報を１〜１０秒で伝達するように、Ｘマトリクス電極およびＹマトリクス電極の駆動を制御するのが好ましい。
また、第１基板および第２基板の水蒸気透過率が０．１g/(m2・day)以上であるのが好ましい。
さらに、第１基板および第２基板の熱伝導率が０．０１Ｗ／(ｍ・Ｋ)以上であるのが好ましい。
【００１１】
また、本発明の情報伝達方法は、互いに交差しない複数の長尺なＸマトリクス電極、および、Ｘマトリクス電極と離間して対面して設けられる、Ｘマトリクス電極と交差し、かつ、互いに交差しない複数の長尺なＹマトリクス電極と、少なくともＸマトリクス電極およびＹマトリクス電極の交点において、Ｘマトリクス電極およびＹマトリクス電極に接続して設けられる、通電によって発熱する発熱体と、Ｘマトリクス電極に対して発熱体と逆側に設けられる第１基板、および、Ｙマトリクス電極に対して発熱体と逆側に設けられる第２基板と、を有する装置を、人体に装着し、
伝達する情報に応じてＸマトリクス電極およびＹマトリクス電極を駆動することにより、Ｘマトリクス電極とＹマトリクス電極との交点において発熱体を発熱させると共に、１つの情報の伝達において、発熱体の発熱を時系列で行うことを特徴とする情報伝達方法を提供する。
【００１２】
このような本発明の情報伝達方法において第１基板および第２基板の少なくとも一方が、面方向にＸマトリクス電極およびＹマトリクス電極が存在しない位置に、貫通孔を有するのが好ましい。
また、第１基板と第２基板とで厚さが異なり、人体への装着を、第１基板および第２基板の薄い方を人体側にして行うのが好ましい。
また、必要に応じて、隣接する複数のＸマトリクス電極とＹマトリクス電極との交点で、同時に発熱体を発熱させるのが好ましい。
また、１つの情報を伝達した後、０．１秒以上経過してから、次の情報の伝達を開始するのが好ましい。
また、１つの情報を１〜１０秒で伝達するように、Ｘマトリクス電極およびＹマトリクス電極を駆動するのが好ましい。
また、第１基板および第２基板の水蒸気透過率が０．１g/(m2・day)以上であるのが好ましい。
さらに、第１基板および第２基板の熱伝導率が０．０１Ｗ／(ｍ・Ｋ)以上であるのが好ましい。
【発明の効果】
【００１３】
このような本発明によれば、振動と温度との組み合わせではなく、温度による刺激を利用する簡易な構成で、使用者が文字等の情報を正確に認識できる。
【図面の簡単な説明】
【００１４】
【図１】（Ａ）および（Ｂ）は、本発明の情報伝達装置の一例を概念的に示す図である。
【図２】図１に示す情報伝達装置による情報伝達を説明するための概念図である。
【図３】（Ａ）〜（Ｃ）は、図１に示す情報伝達装置による情報伝達を説明するための概念図である。
【図４】（Ａ）〜（Ｃ）は、図１に示す情報伝達装置による情報伝達を説明するための概念図である。
【図５】（Ａ）〜（Ｄ）は、図１に示す情報伝達装置による情報伝達の別の例を説明するための概念図である。
【図６】（Ａ）〜（Ｃ）は、図１に示す情報伝達装置による情報伝達の別の例を説明するための概念図である。
【発明を実施するための形態】
【００１５】
以下、本発明の情報伝達装置および情報伝達方法ついて、添付の図面に示される好適例を基に、詳細に説明する。
【００１６】
図１（Ａ）および図１（Ｂ）に、本発明の情報伝達方法を実施する本発明の情報伝達装置の一例を概念的に示す。
なお、図１（Ａ）は、本発明の情報伝達装置の側面断面図である。図１（Ｂ）は、本発明の情報伝達装置の上面図（図１の上方から見た図）で、図１（Ａ）は、図１（Ｂ）のａ−ａ線断面である。
【００１７】
本発明の情報伝達装置１０は、使用者（人物）の腕や足などの体の一部に装着されて、各種の情報を使用者に伝達する装置である。本発明の情報伝達装置１０が使用者に伝達する情報としては、一例として、文字、記号および画像が例示される。
【００１８】
文字は、漢字、ひらがな、カタカナのみならず、アルファベット（ラテン文字）、ギリシャ文字、タイ文字、ハングル文字、キリル文字など、言語の表記に用いられる各種の文字が、全て、利用可能である。また、本発明において、文字には、数字も含む。数字も、漢数字、アラビア数字、ローマ数字など、数を表す文字が、全て、利用可能である。
記号は、疑問符、感嘆符、句読点、括弧、コンマ、コロン、学術表記などの文章に用いられる各種の記号（符号）、矢印などの方向を示す記号、地図記号等、一般的に利用されている各種の記号が、全て利用可能である。また、情報伝達装置１０の使用者や作製者が、独自に作成した記号であってもよい。
さらに、画像は、円や四角形等の幾何学図形、各種のトレードマーク、絵文字、顔文字等が例示される。
【００１９】
図１（Ａ）および図１（Ｂ）に示すように、情報伝達装置１０は、第１基板１２と、第１基板１２の一方の面に設けられる１２本のマトリクス電極Ｙ０〜Ｙｂと、マトリクス電極Ｙ０〜Ｙｂの上（第１基板１２と逆側）に設けられる発熱体１４と、発熱体１４の上に設けられる１２本のマトリクス電極Ｘ０〜Ｘｂと、マトリクス電極Ｘ０〜Ｘｂの上に設けられる第２基板１６と、第２基板１６の上に設けられる粘着層１８とを有する。また、第１基板１２にはＸドライバＩＣ２０ａ、２０ｂおよび２０ｃと、ＹドライバＩＣ２４ａ、２４ｂおよび２４ｃとが設けられ、ＸドライバＩＣ２０ａ、２０ｂおよび２０ｃと、ＹドライバＩＣ２４ａ、２４ｂおよび２４ｃとには、制御部２６が接続される。
情報伝達装置１０においては、第１基板１２と、マトリクス電極Ｙ０〜Ｙｂと、発熱体１４と、マトリクス電極Ｘ０〜Ｘｂと、第２基板１６と、粘着層１８と、ＸドライバＩＣ２０ａ、２０ｂおよび２０ｃと、ＹドライバＩＣ２４ａ、２４ｂおよび２４ｃとによって、装置本体１０ａが構成される。
なお、構成を明確に示すために、図１（Ｂ）においては、発熱体１４を破線で示し、第２基板１６および粘着層１８は省略している。
【００２０】
マトリクス電極Ｙ０〜Ｙｂは、一方向に長尺な、互いに交差しない電極である。マトリクス電極Ｘ０〜Ｘｆは、マトリクス電極Ｙ０〜Ｙｂと直交する方向に長尺な、互いに交差しない電極である。図１（Ｂ）に示すように、マトリクス電極Ｙ０〜Ｙｂとマトリクス電極Ｘ０〜Ｘｂとは、第１基板１２の面方向において、他方の全てのマトリクス電極と交差するように、配置される。
すなわち、情報伝達装置１０において、マトリクス電極Ｙ０〜Ｙｂおよびマトリクス電極Ｘ０〜Ｘｆは、Ｘ系統の電極群とＹ系統の電極群との２つの系統の電極群とを有する、液晶ディスプレイ等に利用される、いわゆるマトリクス走査を行うマトリクス装置に用いられる公知のマトリクス電極（マトリクス装置の画素電極）と、同様のものである。
【００２１】
なお、図１に示す情報伝達装置１０においては、マトリクス電極は直線状で、Ｙ系統のマトリクス電極Ｙ０〜ＹｂとＸ系統のマトリクス電極Ｘ０〜Ｘｆとは直交しているが、本発明は、これに限定はされない。
すなわち、本発明の情報伝達装置おいて、マトリクス電極は曲線状でもよく、あるいは、曲線状のマトリクス電極と直線状のマトリクス電極とが混在してもよい。また、Ｙ系統のマトリクス電極Ｙ０〜ＹｂとＸ系統のマトリクス電極Ｘ０〜Ｘｆとが、直交以外の状態で交差してもよい。
【００２２】
前述のように、マトリクス電極Ｙ０〜Ｙｂおよびマトリクス電極Ｘ０〜Ｘｂは、公知のマトリクス電極と同様のものであり、すなわち、公知の長尺な電極である。以下の説明では、マトリクス電極Ｙ０〜Ｙｂとマトリクス電極Ｘ０〜Ｘｂとをまとめて、マトリクス電極とも言う。
従って、マトリクス電極の形成材料は、金、銀、銅、アルミニウム、クロム、ニッケル、チタン、タンタル、タングステン、コバルトなどの金属、これらの金属の合金、酸化インジウムスズ（ＩＴＯ）、酸化スズ、酸化インジウム、酸化亜鉛などの透明電極等、マトリクス装置のマトリクス電極として用いられる公知の物が、各種、利用可能である。
【００２３】
また、マトリクス電極の幅、厚さ、長さ、マトリクス電極同士の間隔等も、情報伝達装置１０の大きさやマトリクス電極の数等に応じて、適宜、設定すればよい。
後述するが、情報伝達装置１０においては、伝達する文字等の情報に応じて、マトリクス電極Ｙ０〜Ｙｂとマトリクス電極Ｘ０〜Ｘｂとの交点で発熱体１４を時系列で発熱させることによって、使用者に情報を伝達する。
従って、伝達する情報の解像度等を考慮すると、マトリクス電極同士の間隔すなわち、マトリクス電極の交点の間隔は、０．１〜５０ｍｍが好ましく、０．５〜２０ｍｍがより好ましく、１〜１０ｍｍが特に好ましい。また、マトリクス電極の幅すなわち発熱する交点の大きさは、０．１〜５０ｍｍが好ましく、０．５〜２０ｍｍがより好ましく、１〜１０ｍｍが特に好ましい。
【００２４】
なお、図示例の情報伝達装置１０においては、１２本のマトリクス電極Ｙ０〜Ｙｂと１２本のマトリクス電極Ｘ１〜Ｘｂとを有するものであるが、本発明は、これに限定はされず、マトリクス電極の数は、様々な数が利用可能である。
また、Ｘ系統とＹ系統とで、マトリクス電極の数が異なってもよい。
【００２５】
ＹドライバＩＣ２４ａ〜２４ｃおよびＸドライバＩＣ２０ａ〜２０ｃは、マトリクス装置においてマトリクス電極の駆動に用いられる公知のドライバＩＣである。
なお、図１（Ｂ）に示す例において、ＹドライバＩＣ２４ａ〜２４ｃおよびＸドライバＩＣ２０ａ〜２０ｃは、共に４ｃｈであるが、本発明は、これに限定はされない。例えば、ＹドライバＩＣ２４ａ〜２４ｃおよびＸドライバＩＣ２０ａ〜２０ｃは、６４ｃｈ、１２８ｃｈ、２５６ｃｈ等であってもよい。
また、ＹドライバＩＣ２４ａ〜２４ｃとＸドライバＩＣ２０ａ〜２０ｃとで、ｃｈ数が異なってもよく、ＹドライバＩＣ２４ａ〜２４ｃ同士、ＸドライバＩＣ２０ａ〜２０ｃ同士で、ｃｈ数が異なってもよい。
なお、ドライバＩＣが供給する信号は、走査信号をシリアル状またはパラレル状に供給する信号のみならず、電源やＧＮＤ等も含むものである。好ましくは、パラレル状で、電源およびＧＮＤを含むものである。
【００２６】
マトリクス電極Ｙ０〜Ｙｂは、信号線３０によって、ＹドライバＩＣ２４ａ〜２４ｃに接続され、それぞれ、対応するＸドライバＩＣから駆動信号（駆動電流）を供給される。
具体的には、マトリクス電極Ｙ０〜Ｙ３は、信号線３０によってＹドライバＩＣ２４ａに接続される。マトリクス電極Ｙ４〜Ｙ７は、信号線３０によってＹドライバＩＣ２４ｂに接続される。マトリクス電極Ｙ８〜Ｙｂは、信号線３０によってＹドライバＩＣ２４ｃに接続される。
マトリクス電極Ｘ０〜Ｘｂは、信号線２８によって、ＸドライバＩＣ２０ａ〜２０ｃに接続され、それぞれ、対応するＸドライバＩＣから駆動信号を供給される。
具体的には、マトリクス電極Ｘ０〜Ｘ３は、信号線２８によってＸドライバＩＣ２０ａに接続される。マトリクス電極Ｘ４〜Ｘ７は、信号線２８によってＸドライバＩＣ２０ｂに接続される。マトリクス電極Ｘ８〜Ｘｂは、信号線２８によってＸドライバＩＣ２０ｃに接続される。
【００２７】
ＹドライバＩＣ２４ａ〜２４ｃおよびＸドライバＩＣ２０ａ〜２０ｃによる、マトリクス電極Ｙ０〜Ｙｂおよびマトリクス電極Ｘ０〜Ｘｂの駆動は、制御部２６によって制御される。制御部２６は、ドライバＩＣを駆動を制御する、公知のドライバＩＣのコントローラである。
なお、図示例においては、制御部２６は、装置本体１０ａとは別体になっている。情報伝達装置１０において、装置本体１０ａは、基本的に、腕や足などの使用者の肌に触接装着される。これに対し、制御部２６は、使用者のポケットなど、装置本体１０ａとは異なる位置に保持される。
しかしながら、本発明は、これに限定はされず、例えば第１基板１２に制御部２６を設けて、装置本体１０ａと制御部２６とを一体化してもよい。
【００２８】
情報伝達装置１０において、制御部２６は、有線で、ＸドライバＩＣ２０ａ〜２０ｃおよびＹドライバＩＣ２４ａ〜２４ｃと接続されている。
しかしながら、本発明は、これに限定はされず、ワイヤレスで制御部２６とＸドライバＩＣ２０ａ〜２０ｃおよびＹドライバＩＣ２４ａ〜２４ｃとを接続してもよい。従って、制御部２６は、例えば、通信機能を有するタブレット端末、腕時計型の通信端末、スマートフォンなどの通信端末と、これらにインストールされるアプリケーションとで構成してもよい。
【００２９】
情報伝達装置１０は、伝達する情報に応じて、マトリクス電極Ｙ０〜Ｙｂとマトリクス電極Ｘ０〜Ｘｂとの交点で発熱体１４を発熱させることにより、情報伝達装置１０を装着した使用者に文字等の情報を伝達するものである。制御部２６は、ＹドライバＩＣ２４ａ〜２４ｃおよびＸドライバＩＣ２０ａ〜２０ｃの駆動を制御して、伝達する情報に応じて、マトリクス電極Ｙ０〜Ｙｂとマトリクス電極Ｘ０〜Ｘｂとの交点で発熱体１４を発熱させる。
ここで、制御部２６は、１文字などの１つの情報の伝達において、伝達する情報に対応するマトリクス電極Ｙ０〜Ｙｂとマトリクス電極Ｘ０〜Ｘｂとの交点における発熱体１４の発熱を、時系列で行うように、マトリクス電極Ｙ０〜Ｙｂとマトリクス電極Ｘ０〜Ｘｂの駆動すなわち発熱体１４の発熱を制御する。この点に関しては、後に詳述する。
【００３０】
マトリクス電極Ｙ０〜Ｙｂとマトリクス電極Ｘ０〜Ｘｂとの間には、両マトリクス電極に接触してシート状の発熱体１４が配置される。
発熱体１４は、通電されることで発熱する発熱体である。従って、情報伝達装置１０においては、マトリクス電極Ｙ０〜Ｙｂおよびマトリクス電極Ｘ０〜Ｘｂに駆動信号を供給することで、マトリクス電極Ｙ０〜Ｙｂとマトリクス電極Ｘ０〜Ｘｂとの交点で発熱体１４が発熱する。
【００３１】
発熱体１４は、通電によって発熱する公知の発熱抵抗体が、各種、利用可能である。
一例として、銅、銀、クロム、亜鉛、スズ、アルミニウム、ニッケル、コバルト、白金、鉛、金、鉄、マグネシウム等の金属の酸化物が例示される。中でも、安価で入手し易い等の点で、銅、銀、クロム、亜鉛、スズ、アルミニウム、ニッケル、コバルト等の酸化物は、好適に例示される。その中でも、安定性の面で、銅、銀、ニッケル、コバルト等の酸化物は、特に好適に利用される。
また、金属酸化物以外の発熱体としては、一例として、Ｓｉ−Ｃｒ系材料、Ｆｅ−Ｃｒ−Ａｌ系材料、モリブデン、タングステン、白金、二珪化モリブデン、黒鉛、ジルコニア、ランタンクロマイト等が例示される。
【００３２】
情報伝達装置１０では、マトリクス電極Ｙ０〜Ｙｂとマトリクス電極Ｘ０〜Ｘｂとの全面に対応するシート状の発熱体１４を用いているが、本発明は、これに限定はされない。
例えば、発熱体は、使用者への情報の伝達に必要な部分である、マトリクス電極Ｙ０〜Ｙｂとマトリクス電極Ｘ０〜Ｘｂとの交点にのみ設けてもよく、交点のみに発熱体を設ける領域と、シート状の発熱体を設ける領域とが、混在してもよい。
【００３３】
発熱体１４の厚さは、発熱体１４の形成材料、マトリクス電極Ｙ０〜Ｙｂおよびマトリクス電極Ｘ０〜Ｘｂに供給するエネルギ、マトリクス電極Ｙ０〜Ｙｂおよびマトリクス電極Ｘ０〜Ｘｂの幅（すなわち交点のサイズ）等に応じて、十分な温度し、かつ、必要以上に発熱温度が高くならない厚さを、適宜、決定すればよい。
情報伝達装置１０において、装置本体１０ａは、基本的に、肌に直接接触して使用者の体に装着される。そのため、確実な情報の伝達を行い、かつ、熱による使用者の負傷を好適に防止できる等の点で、発熱体１４の発熱は、第２基板１６の表面温度が２０〜１２０℃となるように制御するのが好ましく、２０〜１００℃となるように制御するのがより好ましく、３０〜８０℃となるように制御するのが特に好ましい。
【００３４】
マトリクス電極Ｙ０〜Ｙｂとマトリクス電極Ｘ０〜Ｘｂとの間に発熱体１４を設けた積層体は、第１基板１２と第２基板１６とで挟持される。
第１基板１２および第２基板１６は、絶縁性のシート状物もしくは絶縁層を有するシート状物である。
【００３５】
第１基板１２および第２基板１６は、絶縁性を確保できるものであれば、公知のシート状物が、各種、利用可能である。
一例として、ポリイミド、フェノール樹脂（ＰＦ）、エポキシ樹脂（ＥＰ）、メラミン樹脂（ＭＦ）、尿素樹脂（ユリア樹脂、ＵＦ）、不飽和ポリエステル樹脂（ＵＰ）、アルキド樹脂、アクリル樹脂、ポリウレタン（ＰＵＲ）、熱硬化性ポリイミド（ＰＩ）、高密度ポリエチレン（ＨＤＰＥ）や中密度ポリエチレン（ＭＤＰＥ）や低密度ポリエチレン（ＬＤＰＥ）などのポリエチレン（ＰＥ）、ポリプロピレン（ＰＰ）、ポリ塩化ビニル（ＰＶＣ）、ポリ塩化ビニリデン、ポリスチレン（ＰＳ）、ポリ酢酸ビニル（ＰＶＡｃ）、テフロン（登録商標）、ＡＢＳ樹脂（アクリロニトリルブタジエンスチレン樹脂）、ＡＳ樹脂、ポリメチルメタアクリレート（ＰＭＭＡ）などのアクリル樹脂、ポリアミド（ＰＡ）、ナイロンポリアセタール（ＰＯＭ）、ポリカーボネート（ＰＣ）、変性ポリフェニレンエーテル（ｍ−ＰＰＥ、変性ＰＰＥ、ＰＰＯ）、ポリエチレンテレフタレート（ＰＥＴ）やグラスファイバー強化ポリエチレンテレフタレート（ＧＦ−ＰＥＴ）やポリブチレンテレフタレート（ＰＢＴ）などのポリエステル、環状ポリオレフィン（ＣＯＰ）、ポリフェニレンスルファイド（ＰＰＳ）、ポリテトラフルオロエチレン（ＰＴＦＥ）、ポリサルフォン（ＰＳＦ）、ポリエーテルサルフォン（ＰＥＳ(Polyethersulfone)）、非晶ポリアリレート（ＰＡＲ）、液晶ポリマー（ＬＣＰ）、ポリエーテルエーテルケトン（ＰＥＥＫ）、熱可塑性ポリイミド（ＰＩ）、ポリアミドイミド（ＰＡＩ(Polyamide-imide)）等の各種の樹脂材料で形成された樹脂シート、陽極酸化被膜を形成したアルミニウムシート等が例示される。
中でも、熱伝導性および通気性の少なくとも一方が好適である等の点で、ポリイミド、エポキシ樹脂、ポリウレタン、ポリエチレン、ポリカーボネート、ポリスチレン、アクリル樹脂等からなる樹脂シートは好適に例示される。
なお、第１基板１２および第２基板１６の形成材料は、同じでも、異なってもよい。
【００３６】
前述のように、装置本体１０ａは、基本的に、肌に直接接触して使用者に装着され、文字等の伝達する情報に応じて、マトリクス電極の交点で発熱体１４を発熱させることで、使用者に情報を伝達する。
そのため、長い文字列を伝達する場合や、文字列を繰り返し伝達する場合など、使用時間が長くなると、装置本体１０ａ内や、装置本体１０ａと使用者の肌との間に、熱が籠もってしまう場合が有る。このような熱は、迅速に放出できるのが好ましい。
この熱を放出するためには、第１基板１２および第２基板１６は、通気性が高いのが好ましい。具体的には、第１基板１２および第２基板１６は、水蒸気透過率が０．１g/(m2・day)以上であるのが好ましく、１g/(m2・day)以上であるのがより好ましい。
【００３７】
後述するが、装置本体１０ａは、第２基板１６を使用者に向けて装着される。
ここで、本発明の情報伝達装置１０においては、装置本体１０ａ内や装置本体１０ａと使用者の肌との間に籠もった熱や、使用者の汗を放出するために、少なくとも使用者側ではない第１基板１２が、基板面方向にマトリクス電極が無い位置に貫通孔を有するのが好ましい。また、第１基板１２と第２基板１６の両方が、基板面方向にマトリクス電極が無い位置に貫通孔を有するのがより好ましい。
このような貫通孔は、１箇所以上に形成すればよいが、可能な範囲で多数形成するのが好ましく、図１（ｂ）中にｂで示すような、面方向にマトリクス電極によって囲まれている部分の全てに形成するのが好ましい。
【００３８】
なお、使用者側となる第２基板１６が貫通孔を形成する場合には、侵入した汗がマトリクス電極と接触することを防止するために、第２基板１６よりも薄い防水シートを第２基板１６の表面に積層する、マトリクス電極の側面（基板面と直交する端面）に絶縁層を形成する等の構成を有してもよい。
【００３９】
伝達する情報を使用者に正確に認識してもらうためには、良好な効率で、発熱体１４の発熱を使用者に伝えるのが好ましい。また、前述のように、装置本体１０ａ内や装置本体１０ａと使用者の肌との間に籠もった熱を、迅速に放出できるのが好ましい。
この点を考慮すると、第１基板１２および第２基板１６は、熱伝導率が高い方が好ましい。具体的には、第１基板１２および第２基板１６は、熱伝導率が０．０１Ｗ／(ｍ・Ｋ)以上であるのが好ましく、０．１Ｗ／(ｍ・Ｋ)以上であるのがより好ましい。
【００４０】
第１基板１２および第２基板１６の厚さは、装置本体１０ａの大きさ等に応じて、適宜、設定すればよい。本発明者の検討によれば、放熱性や人体に装着して使用する点等を考慮すると、装置本体１０ａを指示できれは、第１基板１２および第２基板１６は、薄い方が好ましい。具体的には、第１基板１２および第２基板１６の厚さは、０．００１〜１０ｍｍが好ましく、０．０１〜２ｍｍがより好ましく、０．０５〜０．５ｍｍが特に好ましい。
また、第１基板１２および第２基板１６、マトリクス電極、発熱体１４、粘着層１８等の厚さは、各部材の形成材料に応じて、装置本体１０ａが良好な可撓性を有する厚さとするのが好ましい。
【００４１】
ここで、装置本体１０ａは、第１基板１２および第２基板１６の一方を使用者側にして装着される。図示例の情報伝達装置１０においては、第２基板１６の上に、使用者に装着（貼着）するための粘着層１８が形成される。
従って、使用者が発熱体１４が発した熱を好適に検出し、伝達した情報を正確に認識できるようにするためには、使用者側となる基板すなわち第２基板１６をできるだけ薄くするのが好ましい。装置本体１０ａを薄くすることを考慮すると、少なくとも、使用者側となる第２基板１６は、使用者と逆側になる第１基板１２よりも薄くするのが好ましい。
【００４２】
従って、図示例の装置本体１０ａは、第１基板１２の表面にマトリクス電極Ｙ０〜Ｙｂを形成し、マトリクス電極Ｙ０〜Ｙｂの上（第１基板と逆側）に発熱体１４を積層し、発熱体１４の上にマトリクス電極Ｘ０〜Ｘｂを形成し、マトリクス電極Ｘ０〜Ｘｂの上に第２基板１６として薄い絶縁性のシートを積層したような構成を有する。
なお、このような装置本体１０ａの製造は、各部位の形成材料等に応じた公知の方法で行えばよい。
【００４３】
第２基板１６の上（マトリクス電極と逆側）には、粘着層１８が形成される。
装置本体１０ａは、基本的に、肌に直接接触して使用者の体に装着される。粘着層１８は、装置本体１０ａを使用者に装着するための装着手段であり、装置本体１０ａは、粘着層１８を使用者の肌に貼着することで、使用者に装着される。
粘着層１８は、肌に悪影響が無く、かつ、十分な粘着力および耐熱性を有するものであれば、例えば絆創膏や医療用のテープに用いられる粘着剤など、公知の粘着剤および粘着シートが、各種、利用可能である。
なお、粘着層１８は、装置本体１０ａを全面的に使用者に貼着するものでもよく、部分的に使用者に貼着するものでもよい。
【００４４】
なお、本発明の情報伝達装置１０において、装着手段は、粘着層１８に限定はされず、各種のものが利用可能である。
例えば、ベルトなどの装着具（治具）、リストバンドのような伸縮可能な無端の帯状物、テーピング用テープのような人体に貼着可能なテープ等、シート状物を人体に装着できる公知の方法が、全て、利用可能である。
さらに、本発明の情報伝達装置１０は、安全性を確保できるのであれば、装置本体１０ａを使用者の体内に装着してもよい。
【００４５】
以下、情報伝達装置１０の作用を説明することにより、制御部２６および本発明について、より詳細に説明する。
なお、以下の例は、情報として文字を伝達する場合を例に説明するが、本発明は、文字のみならず、記号や画像も同様に情報として伝達できる。
【００４６】
前述のように、本発明の情報伝達装置１０は、粘着層１８によって使用者の肌に装置本体１０ａを装着して、伝達する文字（伝達する情報）に応じて、マトリクス電極Ｙ０〜Ｙｂとマトリクス電極Ｘ０〜Ｘｂとの交点で発熱体１４を発熱させることにより、情報伝達装置１０を装着した使用者に文字等を伝達する。
従って、制御部２６は、伝達する文字に応じて、ＸドライバＩＣ２０ａ〜２０ｃおよびＹドライバＩＣ２４ａ〜２４ｃの駆動を制御して、伝達する文字等に応じて、マトリクス電極Ｙ０〜Ｙｂとマトリクス電極Ｘ０〜Ｘｂとの交点で発熱体１４を発熱させる。
ここで、制御部２６は、１文字等の１つの情報の伝達において、伝達する文字等に応じたマトリクス電極Ｙ０〜Ｙｂとマトリクス電極Ｘ０〜Ｘｂとの交点における発熱体１４の発熱を、一度に行うのではなく、時系列で行うように、マトリクス電極Ｙ０〜Ｙｂとマトリクス電極Ｘ０〜Ｘｂの駆動すなわち発熱体１４の発熱を制御する。
【００４７】
一例として、漢数字の『二』を伝達する場合、通常は、図２に概念的に示すように、マトリクス電極Ｙ２とマトリクス電極Ｘ３との交点、マトリクス電極Ｙ２とマトリクス電極Ｘ４との交点、マトリクス電極Ｙ２とマトリクス電極Ｘ５との交点、マトリクス電極Ｙ２とマトリクス電極Ｘ６との交点、マトリクス電極Ｙ２とマトリクス電極Ｘ７との交点、および、マトリクス電極Ｙ２とマトリクス電極Ｘ８との交点、
ならびに、マトリクス電極Ｙ８とマトリクス電極Ｘ１との交点、マトリクス電極Ｙ８とマトリクス電極Ｘ２との交点、マトリクス電極Ｙ８とマトリクス電極Ｘ３との交点、マトリクス電極Ｙ８とマトリクス電極Ｘ４との交点、マトリクス電極Ｙ８とマトリクス電極Ｘ５との交点、マトリクス電極Ｙ８とマトリクス電極Ｘ６との交点、マトリクス電極Ｙ８とマトリクス電極Ｘ７との交点、マトリクス電極Ｙ８とマトリクス電極Ｘ８との交点、マトリクス電極Ｙ８とマトリクス電極Ｘ９との交点、および、マトリクス電極Ｙ８とマトリクス電極Ｘａとの交点において、発熱体が、略同時に発熱するように各マトリクス電極の駆動を制御する。
【００４８】
このような各マトリクス電極の駆動は、例えば、マトリクス走査による画像表示と同様な走査を行って、伝達する『二』に対応する全てのマトリクス電極Ｙ０〜Ｙｂとマトリクス電極Ｘ０〜Ｘｂとの交点で、発熱体を略同時に発熱させる。
なお、マトリクス走査による画像表示とは、周知のように、まず、マトリクス電極Ｙ０のみに画素を選択する信号を供給して、同時に、マトリクス電極Ｘ０〜Ｘｆに、表示する画素に応じたオンおよびオフの信号を供給し、次いで、マトリクス電極Ｙ１のみに画素を選択する信号を供給して、同時に、マトリクス電極Ｘ０〜Ｘｆに、表示する画素に応じたオンおよびオフの信号を供給し、次いで、マトリクス電極Ｙ２のみに画素を選択する信号を供給して、同時に、マトリクス電極Ｘ０〜Ｘｆに、表示する画素に応じたオンおよびオフの信号を供給し、……、次いで、マトリクス電極Ｙｂのみに画素を選択する信号を供給し、同時に、マトリクス電極Ｘ０〜Ｘｆに、表示する画素に応じたオンおよびオフの信号を供給することを、繰り返し行う。
【００４９】
しかしながら、このような従来の方法では、使用者が、二画の線が離間して表現されていることを適正に認識することは、困難である。
これに対して、本発明においては、文字に対応する全てのマトリクス電極Ｙ０〜Ｙｂとマトリクス電極Ｘ０〜Ｘｂとの交点を、略同時に発熱させるのではなく、伝達する文字に対応するマトリクス電極Ｙ０〜Ｙｂとマトリクス電極Ｘ０〜Ｘｂとの交点において、各交点を時系列で発熱させる。
例えば、文字（記号や図形）を表現する一画（one stroke）を時系列で発熱することを、一画ずつ、順次、行う。
【００５０】
一例として、制御部２６は、まず、図３（Ａ）に概念的に示すように、マトリクス電極Ｙ２とマトリクス電極Ｘ３との交点で発熱体を発熱するように、ＹドライバＩＣ２４ａおよびＸドライバＩＣ２０ａによって、マトリクス電極Ｙ２とマトリクス電極Ｘ３とを駆動させる。
以下、説明を簡潔にするために、上記の動作は、単に、『マトリクス電極Ｙ２とマトリクス電極Ｘ３との交点で発熱体を発熱させる。』のように表現する。
制御部２６は、次いで、図３（Ｂ）に概念的に示すように、マトリクス電極Ｙ２とマトリクス電極Ｘ４との交点で発熱体を発熱させる。
制御部２６は、次いでマトリクス電極Ｙ２とマトリクス電極Ｘ５との交点で発熱体を発熱させ、次いでマトリクス電極Ｙ２とマトリクス電極Ｘ６との交点で発熱体を発熱させ、……、さらに、図３（Ｃ）に概念的に示すように、マトリクス電極Ｙ２とマトリクス電極Ｘ８との交点で発熱体を発熱させる。
【００５１】
漢数字の『二』の一画目の伝達が終了したら、次の二画目に移って、制御部２６は、図４（Ａ）に概念的に示すように、マトリクス電極Ｙ８とマトリクス電極Ｘ１との交点で発熱体を発熱させる。
制御部２６は、次いで、図４（Ｂ）に概念的に示すように、マトリクス電極Ｙ８とマトリクス電極Ｘ２との交点で発熱体を発熱させる。
制御部２６は、次いでマトリクス電極Ｙ８とマトリクス電極Ｘ３との交点で発熱体を発熱させ、次いでマトリクス電極Ｙ８とマトリクス電極Ｘ４との交点で発熱体を発熱させ、次いでマトリクス電極Ｙ８とマトリクス電極Ｘ５との交点で発熱体を発熱させ、……、さらに、図４（Ｃ）に概念的に示すように、マトリクス電極Ｙ８とマトリクス電極Ｘａとの交点で発熱体を発熱させて、漢数字『二』の伝達を終了する。
【００５２】
前述のように、伝達する文字（情報）に対応する全ての交点を略同時に発熱する従来の方法では、例えば２つの線を同時に発熱しても、それが１本の線なのか２本の線なのかを認識することは、困難であり、従って、伝達された文字を正確に認識することは、困難である。
これに対して、本発明の情報伝達装置１０は、手書きによるパターンのように、伝達する文字に対応するマトリクス電極Ｙ０〜Ｙｂとマトリクス電極Ｘ０〜Ｘｂとの交点を、時系列で発熱させて文字を伝達する。言い換えれば、使用者の肌に手書きで文字を記すように、マトリクス電極Ｙ０〜Ｙｂとマトリクス電極Ｘ０〜Ｘｂとの交点の熱を移動する。これにより、使用者は、文字を構成する一画（情報を構成する１つの線）を、ベクトルとして、情報を、順次、認識できる。そのため、本発明の情報伝達装置１０によれば、使用者は、文字（記号、図形）を、正確に認識することができる。
また、熱によって文字を伝達するので、振動子による振動によって文字を伝達する場合と異なり、音やノイズを発生することがなく、かつ、省電力化や小型化も図れる。
さらに、振動子で文字を伝達する場合には、伝達した文字を正確に認識可能にするためには、振動子と使用者の肌との距離を一定に保つ必要が有るが、振動の場合には、物理的な動きを伴うので、原理的に、振動子と使用者の肌とが離れやすい。これに対して、熱による伝達は、物理的な動きを伴わないので、情報伝達装置１０と使用者の肌とが離れにくく、しかも、多少、使用者の肌とが離れても、放射熱によって情報を伝達できる。
【００５３】
本発明の情報伝達装置１０において、図３（Ａ）〜図３（Ｃ）に示すように、１つのマトリクス電極に対応する交点を連続的に発熱させる場合には、そのマトリクス電極すなわち本例ではマトリクス電極Ｙ２は、１つの交点での発熱を行う毎に駆動および駆動停止（ｏｎ／ｏｆｆ）を行っても良く、あるいは、そのマトリクス電極に対応する交点の発熱が終了するまで、連続的に駆動した状態としてもよい。この点に関しては、Ｘ系統の電極も同様である。
【００５４】
前述のように、本発明の情報伝達装置１０によれば、使用者は、伝達する文字の一画の情報を、ベクトルとして、順次、認識できるので、文字を正確に認識できる。従って、本発明の情報伝達装置１０は、言葉や文章のような文字列や、記号や図形を組み込んだ文字列の伝達に好適に対応できる。
ここで、文字列を伝達する場合に、連続的に文字を伝達すると、前の文字の熱が残っており、正確な文字の認識が困難になってしまう可能性が有る。さらに、文字列を伝達する場合に、連続的に文字を伝達すると、使用者は、一文字（１つの記号、１つの図形）の伝達が、どの時点で終了し、さらに、次の文字の伝達が、どの時点で開始したかを判別することが困難になる可能性も有る。
【００５５】
そのため、制御部２６は、文字列を伝達する場合には、１文字（１つの情報）の伝達が終了した後、０．１秒以上経過した後に、次の文字の伝達を開始するように、マトリクス電極Ｙ０〜Ｙｂおよびマトリクス電極Ｘ０〜Ｘｂの駆動を制御するのが好ましい。より好ましくは、１文字の伝達が終了した後、０．１〜１０秒が経過した後に次の文字の伝達を開始するように、特に１〜５秒が経過した後に次の文字の伝達を開始するように、マトリクス電極Ｙ０〜Ｙｂおよびマトリクス電極Ｘ０〜Ｘｂの駆動を制御する。
例えば、『マトリクス』という文字列を伝達する場合には、最初の文字である『マ』を伝達した後、０．１秒以上経過した後に『ト』を伝達し、次いで０．１秒以上経過した後に『リ』を伝達し、次いで０．１秒以上経過した後に『ク』を伝達し、次いで０．１秒以上経過した後に『ス』を伝達する。
これにより、文字列を伝達する際に、使用者が、より正確に各文字および文字列を認識することが可能になる。
【００５６】
また、時系列でマトリクス電極Ｙ０〜Ｙｂとマトリクス電極Ｘ０〜Ｘｂとの交点を発熱させる場合には、１文字の伝達時間が短すぎると、発熱点の移動が早すぎて使用者が伝達された文字を正確に認識することが困難になる可能性が有る。また、１文字の伝達時間が長すぎても、その文字の伝達の中で、先に伝達された部位を忘れてしまい、やはり、使用者が伝達された文字を正確に認識することが困難になる可能性が有る。
この点を考慮すると、制御部２６は、１文字（１つの情報）の伝達を、１〜１０秒で行うようにマトリクス電極Ｙ０〜Ｙｂおよびマトリクス電極Ｘ０〜Ｘｂの駆動を制御するのが好ましく、１文字の伝達を、２〜５秒で行うようにマトリクス電極Ｙ０〜Ｙｂおよびマトリクス電極Ｘ０〜Ｘｂの駆動を制御するのがより好ましい。
これにより、使用者が、より正確に文字を認識することが可能になる。
【００５７】
本発明の情報伝達装置１０において、文字（情報）を構成する一画毎の伝達順は、特に限定は無い。一例として、文字、特に日本語を伝達する際には、いわゆる書き順（筆順）に応じて、一画を時系列で伝達することを、一画毎に、順次、行う方法が例示される。
【００５８】
図３（Ａ）〜図４（Ｃ）に示す例では、伝達する文字に対応して、１つの交点のみを発熱させている。
しかしながら、本発明の情報伝達装置１０は、これ以外にも、各種の文字（情報）の伝達方法が利用可能である。
【００５９】
一例として、伝達する文字を前述のマトリクス走査による画像表示と同様にして、低温で表記しておき、その上で、伝達する文字に応じて、マトリクス電極Ｙ０〜Ｙｂとマトリクス電極Ｘ０〜Ｘｂとの交点で文字の伝達に対応する発熱をしてもよい。
【００６０】
例えば、同様に漢数字の『二』を伝達する場合であれば、図５（Ａ）に概念的に示すように、前述のマトリクス走査による画像表示と同等にして、低い温度（小さい駆動電流）で、伝達する漢数字の『二』を表記する。
その上で、前述の図３（Ａ）〜図３（Ｃ）と同様に、まず、図５（Ｂ）に概念的に示すように、マトリクス電極Ｙ２とマトリクス電極Ｘ３との交点で伝達に対応する温度で発熱体を発熱させ、次いで、図５（Ｃ）に概念的に示すように、マトリクス電極Ｙ２とマトリクス電極Ｘ４との交点で発熱体を発熱させ、以下、同様に、マトリクス電極Ｙ２とマトリクス電極Ｘ５との交点で発熱体を発熱させ、次いでマトリクス電極Ｙ２とマトリクス電極Ｘ６との交点で発熱体を発熱させ、……、さらに、図５（Ｄ）に概念的に示すように、マトリクス電極Ｙ２とマトリクス電極Ｘ８との交点で発熱体を発熱させる。
このようにして漢数字の『二』の一画目の伝達が終了したら、先と同様に二画目に移って、前述の図４（Ａ）〜図４（Ｃ）と同様に、マトリクス電極Ｙ８とマトリクス電極Ｘ１との交点から、マトリクス電極Ｙ８とマトリクス電極Ｘａの交点までを、順次、発熱させる。
【００６１】
また、以上の例では、文字の伝達のために、マトリクス電極Ｙ０〜Ｙｂとマトリクス電極Ｘ０〜Ｘｂとの交点を１点のみ、発熱していたが、本発明は、これに限定はされず、隣接する複数の交点を同時に発熱して、文字（情報）を伝達してもよい。
【００６２】
例えば、同様に漢数字の『二』を伝達する場合であれば、図６（Ａ）に示すように、マトリクス電極Ｙ１とマトリクス電極Ｘ２との交点、マトリクス電極Ｙ１とマトリクス電極Ｘ３との交点、マトリクス電極Ｙ２とマトリクス電極Ｘ２との交点、マトリクス電極Ｙ２とマトリクス電極Ｘ３との交点を同時に発熱し、次いで、マトリクス電極Ｙ１とマトリクス電極Ｘ４との交点、マトリクス電極Ｙ１とマトリクス電極Ｘ５との交点、マトリクス電極Ｙ２とマトリクス電極Ｘ４との交点、マトリクス電極Ｙ２とマトリクス電極Ｘ５との交点を同時に発熱し、次いで、マトリクス電極Ｙ１とマトリクス電極Ｘ６との交点、マトリクス電極Ｙ１とマトリクス電極Ｘ７との交点、マトリクス電極Ｙ２とマトリクス電極Ｘ６との交点、マトリクス電極Ｙ２とマトリクス電極Ｘ７との交点を同時に発熱し、次いで、……、のようにしてもよい。
【００６３】
このように、複数の交点を同時に発熱することにより、文字を、より強調した形で、伝達することが可能になる。
なお、本発明において、同時に発熱する交点は、図示例の４点には限定はされず、２点あるいは３点でもよく、５点以上を同時に発熱してもよい。
【００６４】
以上、本発明の情報伝達装置および情報伝達方法について詳細に説明したが、本発明は、上述の例に限定はされず、本発明の要旨を逸脱しない範囲において、各種の改良や変更を行ってもよいのは、もちろんである。
【産業上の利用可能性】
【００６５】
情報の発信や行動の指示など、新しいマン−マシンインターフェイスとして、各種の用途に利用可能である。
【符号の説明】
【００６６】
１０  情報伝達装置
１２  第１基板
１４  発熱層
１６  第２基板
１８  粘着層
２０ａ〜２０ｃ  ＸドライバＩＣ
２４ａ〜２４ｃ  ＹドライバＩＣ
２６  制御部
２８，３０  信号線
Ｙ０〜Ｙｂ，Ｘ０〜Ｘｂ  Ｙマトリクス電極
【図１】
0006431444.tif 000002
【図２】
0006431444.tif 000003
【図３】
0006431444.tif 000004
【図４】
0006431444.tif 000005
【図５】
0006431444.tif 000006
【図６】
0006431444.tif 000007